(57)【要約】【課題】設置環境を選ぶことがなく移動が自在な移動式遠隔監視カメラを提供する。【解決手段】筐体と、筐体の一端に設けられたドーム体と、該ドーム体を介して撮像可能として筐体に内装されたネットワークカメラと、このネットワークカメラで撮影された画像をインターネットに接続する通信手段と、前記ネットーワークカメラと通信手段とを駆動し、前記筐体の近傍に設けられた電源装置とから構成され、前記筐体は任意の設置場所に移動自由とされ、該筐体の他端に設けられた取り付け部材によって適宜箇所に据付を可能とすると共に、前記ネットワークカメラによって撮影された画像をインターネットに接続する通信手段によって送信する。尚、通信手段として、携帯端末用データ通信カードを前記筐体内に備え、電源装置に太陽光発電装置と充電装置とを更に備える。【選択図】        図１
2009105799.tif 000002
【特許請求の範囲】
【請求項１】
筐体と、筐体の一端に設けられたドーム体と、該ドーム体を介して撮像可能として筐体に内装されたネットワークカメラと、このネットワークカメラで撮影された画像をインターネットに接続する通信手段と、前記ネットーワークカメラと通信手段とを駆動し、前記筐体の近傍に設けられた電源装置とから構成され、前記筐体は任意の設置場所に移動自由とされ、該筐体の他端に設けられた取り付け部材によって適宜箇所に据付を可能とすると共に、前記ネットワークカメラによって撮影された画像をインターネットに接続する通信手段によって送信することを特徴とする移動式遠隔監視カメラ。
【請求項２】
前記通信手段として、携帯端末用データ通信カードと接続可能なルータを前記筐体内に備えたことを特徴とする請求項１記載の移動式遠隔監視カメラ。
【請求項３】
前記電源装置に太陽光発電装置と充電装置とを更に備えたことを特徴とする請求項１記載の移動式遠隔監視カメラ。
【発明の詳細な説明】
【技術分野】
【０００１】
本発明は、インターネット等のネットワークを介して遠隔地の画像を携帯電話やパーソナルコンピュータに送信可能な遠隔監視カメラに関し、とくに設置環境を選ぶことがなく移動が自在であり、また設置に伴う通信回線などの工事が不要な移動式遠隔監視カメラに関するものである。
【背景技術】
【０００２】
近年、遠隔地の画像を監視する技術として、ネットワークカメラとンターネット網を使用した遠隔監視システムが普及している。とくに、自然災害などの情報提供や土木建築現場の作業進捗状況の把握のために情報を提供する技術が注目され、数々の技術が提案されている。
【０００３】
例えば、配線布設等が不要で、カメラ装置、またはモニタ装置を自由に移動することができるモバイル式の監視カメラシステムが提案されている（特許文献１参照。）。また地上に立設した支柱や建造物の壁部等の設置部材に取り付けられ、保護筐体に水平旋回動作可能な監視カメラを内装し、監視カメラを保護筐体に自重による鉛直方向への自由な傾動を許容する状態で吊下可能な自在継手機構を設けた監視カメラもある（特許文献２参照。）。
【０００４】
【特許文献１】特開２００２−２９０９６１号公報
【特許文献２】特開２００５−２１７９６４号公報
【発明の開示】
【発明が解決しようとする課題】
【０００５】
しかしながら、上記特許文献１に提案されている技術は、カメラ装置とモニタ装置とを自由に移動することができる点におい類似するものであるが、カメラ装置の制御のために無線通信網による伝送手段を必要とするものであり、またカメラ装置を移動した際の電源手段に関しては何らの技術的な開示もないものであった。
【０００６】
また、上記特許文献２に記載の監視カメラは、ネットワークカメラを保護筐体に内挿して、監視部への画像の送信とネットワークカメラの遠隔操作にインターネットを介する点において類似するが、監視カメラを任意の設置場所に設置して使用する際の通信手段に関しては、何らの技術的な手段の開示がなく、必然的に使用できる環境も限定されるものであった。
【０００７】
上記の問題点に鑑み本発明者らは、インターネット等のネットワークを介して遠隔地の画像の携帯電話やパーソナルコンピュータへの送信と、画像を撮影するカメラの操作を可能とし、しかも設置環境を選ぶことがなく移動が自在であり、また設置に伴う通信回線などの工事が不要な移動式遠隔監視カメラを提供するに至った。
【課題を解決するための手段】
【０００８】
このため本発明の移動式遠隔監視カメラは、筐体と、筐体の一端に設けられたドーム体と、該ドーム体を介して撮像可能として筐体に内装されたネットワークカメラと、このネットワークカメラで撮影された画像をインターネットに接続する通信手段と、前記ネットーワークカメラと通信手段とを駆動し、前記筐体の近傍に設けられた電源装置とから構成され、前記筐体は任意の設置場所に移動自由とされ、該筐体の他端に設けられた取り付け部材によって適宜箇所に据付を可能とすると共に、前記ネットワークカメラによって撮影された画像をインターネットに接続する通信手段によって送信することを第１の特徴とする。
【０００９】
また、前記通信手段として、携帯端末用データ通信ガードと接続可能なルータを前記筐体内に備えたことを第２の特徴とする。
【００１０】
そして、電源装置に太陽光発電装置と充電装置とを更に備えたことを第３の特徴とする。
【発明の効果】
【００１１】
本発明に係る移動式遠隔監視カメラによれば、筐体に内装されたネットワークカメラと、このネットワークカメラで撮影された画像をインターネットに接続する通信手段を備えているため、どこにでも移動して設置することが可能であり、携帯電話やパソコンなどの端末機からインターネットを介して、遠隔地の最新の画像情報を得ることができるという効果を有する。
【００１２】
また、通信手段として、携帯端末用データ通信ガードと接続可能なルータを前記筐体内に備えているため、移動式遠隔監視カメラを移動させても通信施設の移動に必要な工事が不要であり、移動を行なった後すぐに撮影し画像を送信することができるという効果を有する。
【００１３】
しかも、電源装置に太陽光発電装置と充電装置とを更に備えたため、短期間から中長期間の移動であっても、電源工事を必要とせずに稼動させることができるという優れた効果を有する。
【発明を実施するための最良の形態】
【００１４】
以下、本発明を実施例を示す図面を参照しながら説明するが、本発明が本実施例に限定されないことは言うまでもない。図１は、本発明の一実施例に係る移動式遠隔監視カメラの構成例を示すブロック図、図２は本発明の移動式遠隔監視カメラを示す、図３は本発明の移動式遠隔監視カメラを使用した遠隔監視システム構成図である。
【実施例】
【００１５】
図１、２に示すように、本発明の移動式遠隔監視カメラ１は、箱型の筐体２内にネットワークカメラ３と、ルータ４とが内装されたカメラ本体５と、ネットワークカメラ３とルータ４を駆動する電源装置６とから構成されている。筐体２の一端には透明プラスチック製の半球体からなるドーム体７が筐体２から突出して取り付けられ、このドーム体７を介してネットワークカメラ３による画像撮影が可能とされている。また撮影された画像は、ルータ４に接続される携帯型通信カード８（例えばＰＨＳカード）によってインターネットに接続されて、携帯電話やパーソナルコンピュータ等から常時見ることができる。またネットワークカメラ３の画像撮影操作は、携帯電話やパーソナルコンピュータ等からインターネットを介して遠隔指示することが可能であり、パン・チルト・ズーム指示を行なうことによって遠隔地の広範囲の画像を見ることができる。尚、携帯電話に限らずインターネットに接続可能な他の端末機であってもかまわない。
【００１６】
筐体２の他端には、取り付け用接続部材９が設けられており、カメラ本体５を移動して設置する際に使用される。また、筐体２内にはファン・ヒーター１０がさらに設けられ、筐体２内の結露を防止する。
【００１７】
電源装置６は、１００Ｖの通常の電源が使用できるが、充電可能なバッテリー１１と、ＤＣ／ＡＣインバータ１２とから構成される移動可能な二次電源装置が用いられ、太陽光発電用パネル１３と併用することによって電源の確保が困難な場所であっても長期間の使用が可能となり、さらに効率的に使用することができる。
【００１８】
上記の構成からなる移動式遠隔監視カメラ１は、カメラ本体５を所望の場所まで移動して、取り付け用部材によって例えばクレーン機器の下部に取り付けることが可能であり、取り付け後すぐに携帯型通信カード８（例えばＰＨＳカード）を使用してネットワークカメラ３によって撮影した画像をインターネットを介して管理者の携帯端末に送信することが可能となる。しかもクレーン機器が上下方向へ移動しても、取り付け等の工事が不要であり、遠隔地からクレーン機器による作業進捗状況を常時監視することができる。また、夜間等の暗い時間帯の撮影の際には、照明装置（図示せず）が使用され、各種のセンサーからの信号によって点灯および消灯の操作が可能であり、必要に応じてインターネットを介して携帯電話やパソコンから操作することもできる。尚、本実施例においては携帯型通信カード８による無線方式について説明したが、ブロードバンド回線（ＡＤＳＬ回線等）を使用できることは無論である。
【００１９】
次に、図３に従って本発明の移動式遠隔監視カメラ１を使用した遠隔監視システムを説明する。本システムは移動式遠隔監視カメラ１と、撮影した画像とカメラのアドレスの管理を行なうサーバー１４と、撮影された画像の確認と移動式遠隔監視カメラ１の操作を行なう携帯電話１５およびパソコン１６とからなり、インターネット１７およびサーバー１４を介しカメラを選択して遠隔地に設置された移動式遠隔監視カメラ１を操作しながら撮影した画像をリアルタイムで見ることができるものであり、複数の携帯電話１５やパソコン１６から同時にアクセスが可能となる。さらに撮影された画像をサーバ１４に記録させることによって、複数の移動式遠隔監視カメラ１からの画像の確認や、時間経過による画像の変化が随時確認することが可能となる。しかも、上述のごとく移動式遠隔監視カメラ１は移動が自在であり、前記携帯型通信カード８を使用することによって移動後直ぐに画像の送信ができる。ここで、サーバー１４においては移動式遠隔監視カメラ１から撮影した画像を一定間隔でＦＴＰ転送されており、この転送された画像にはＩＰアドレスがヘッダー情報として添付されているため、予めサーバー１４内に登録されているログインＩＤと照合することによって更新が可能となり、携帯電話１５およびパソコン１６を使用して画像を確認したいユーザーはＩＰアドレスの変更を気にすることなく画像を見ることができる。
【００２０】
上記の構成からなる本発明の移動式遠隔監視カメラを使用するシステムによれば、例えば土木・建築現場に移動式遠隔監視カメラを設置して作業進捗状況を遠隔地から常時確認することが可能となり、的確な作業指示を行なうことができると共に、作業不備の発生を抑制することができる。
【００２１】
以上の構成からなる、本発明の移動式遠隔監視カメラによれば、カメラ本体と二次電源装置を撮影予定の場所へ移動させて設置するだけで、事前の工事などを必要とせずに画像の送信が可能となり、遠隔地のパソコンや携帯電話からカメラを操作して必要な画像をみることができる。尚、本実施例においては土木・建築現場に使用する例を説明したが、風水害などの防災現場における使用や、自治体の観光案内など等に使用可能であることは無論である。
【図面の簡単な説明】
【００２２】
【図１】本発明に係る移動式遠隔監視カメラの構成例を示すブロック図である。
【図２】本発明の移動式遠隔監視カメラを示すである。
【図３】本発明の移動式遠隔監視カメラを使用した遠隔監視システム構成図である。
【符号の説明】
【００２３】
１              移動式遠隔監視カメラ
２              筐体
３              ネットワークカメラ
４              ルータ
５              カメラ本体
６              電源装置
７              ドーム体
８              携帯型通信カード
９              取り付け用接続部材
１０              ファン・ヒーター
１１              バッテリー
１２              ＤＣ／ＡＣインバータ
１３              太陽光発電用パネル
１４              サーバー
１５              携帯電話
１６              パソコン
１７              インターネット
【図１】
2009105799.tif 000003
【図２】
2009105799.tif 000004
【図３】
2009105799.tif 000005